(57)【要約】【課題】隣り合うサンドイッチパネル間の凹凸嵌合による接続が負圧や面方向の応力により外れないようにすることができると共に複数枚のサンドイッチパネルを予めユニット化することが可能なサンドイッチパネル用の取付部材を提供する。【解決手段】取付部材１は、表面材７と裏面材８の間に芯材９を介装して構成される複数のサンドイッチパネル２を、端部同士を突き合わせて凹凸嵌合させた状態で下地材３に取り付けるものである。この取付部材１は、隣り合うサンドイッチパネル２の突き合わせ部分と下地材３との間に介在した状態で、隣り合う一方のサンドイッチパネル２、他方のサンドイッチパネル２、及び下地材３の表面にそれぞれ接着する接着層４を備えることを特徴とする。【選択図】図１
2007284948.tif 000002
【特許請求の範囲】
【請求項１】
表面材と裏面材の間に芯材を介装して構成される複数のサンドイッチパネルを、端部同士を突き合わせて凹凸嵌合させた状態で下地材に取り付けるための取付部材であって、隣り合うサンドイッチパネルの突き合わせ部分と下地材との間に介在した状態で、隣り合う一方のサンドイッチパネル、他方のサンドイッチパネル、及び下地材の表面にそれぞれ接着する接着層を備えることを特徴とする取付部材。
【請求項２】
表面材と裏面材の間に芯材を介装して構成されるサンドイッチパネルを端部同士を突き合わせて凹凸嵌合させた状態で下地材に取り付けるサンドイッチパネルの取付構造であって、隣り合うサンドイッチパネルの突き合わせ部分と下地材との間に取付部材を介在させると共に、この取付部材を、隣り合う一方のサンドイッチパネルと、他方のサンドイッチパネルと、下地材の表面とにそれぞれ接着することを特徴とするサンドイッチパネルの取付構造。
【請求項３】
上記取付部材と、サンドイッチパネル及び下地材との接着を、湿式又は乾式の接着剤にて行うことを特徴とする請求項２に記載のサンドイッチパネルの取付構造。
【請求項４】
上記取付部材が、隣り合う一方のサンドイッチパネルの裏面の平面部分と下地材の表面との間に配置される平面部と、隣り合うサンドイッチパネル同士の突き合わせ部分においてこのサンドイッチパネル間に介装される介装部とを具備することを特徴とする請求項２又は３に記載のサンドイッチパネルの取付構造。
【請求項５】
表面材と裏面材の間に芯材を介装して構成されるサンドイッチパネルを端部同士を突き合わせて凹凸嵌合させた状態で下地材に取り付けたユニットパネルであって、隣り合うサンドイッチパネルの突き合わせ部分と下地材との間に取付部材を介在させると共に、この取付部材を、隣り合う一方のサンドイッチパネルと、他方のサンドイッチパネルと、下地材の表面とにそれぞれ接着して成ることを特徴とするユニットパネル。
【発明の詳細な説明】
【技術分野】
【０００１】
本発明は、サンドイッチパネルを下地材に取り付けるための取付部材、サンドイッチパネルを取付部材を介して下地材に取り付けたサンドイッチパネルの取付構造、及びサンドイッチパネルを取付部材を介して下地材に取り付けて成るユニットパネルに関するものである。
【背景技術】
【０００２】
従来、壁パネル等としてサンドイッチパネル２が用いられている（例えば、特許文献１参照）。図１２にサンドイッチパネルの取付構造の一例を示す。このサンドイッチパネル２は二枚の金属製の表面材７と裏面材８との間にロックウール等の芯材９を介装して挟持することによって形成されている。また、サンドイッチパネル２にはその一端部に嵌合凸部１０が形成されていると共に他端部には嵌合凹部１１が形成されている。このサンドイッチパネル２では表面材７及び裏面材８の各一端部を他端側に向かって折り返し屈曲することにより、細長い断面略Ｕ字状の折り曲部１２，１３を形成し、この対向する折り曲部１２，１３の間の空間が嵌合凹部１１として形成されている。
【０００３】
そして、上記のサンドイッチパネル２を施工するにあたっては、サンドイッチパネル２を下地材３の表面に配置し、嵌合凸部１０の表面側から釘やビス等の固定具２７を打ち込んで、下地材３にまで貫通する。こうしてサンドイッチパネル２を取り付けた後、他のサンドイッチパネル２を近づけ、他のサンドイッチパネル２の嵌合凹部１１を下地材３に取り付けたサンドイッチパネル２の嵌合凸部１０に嵌合する。このようにして隣接するサンドイッチパネル２、２を接続しながら複数枚のサンドイッチパネル２を並べて施工して壁を形成することができるものである。
【０００４】
しかしながら、このようなサンドイッチパネル２では強風等により負圧がかかった場合に、サンドイッチパネル２に下地材３から剥離する方向の力が作用するので、サンドイッチパネル２に撓みが生じ、この撓みが非常に大きくなると、図示のように裏面材８の折り曲部１２が嵌合凸部１０を乗り越えて嵌合凹部１１と嵌合凸部１０との嵌合が外れ、この結果、隣接するサンドイッチパネル２、２の接続が外れてしまう恐れがあった。
【０００５】
また、地震等によりサンドイッチパネル２に面方向の応力がかかると、サンドイッチパネル２の嵌合部分にせん断応力がかかって、隣り合うサンドイッチパネル２、２の一方が他方に対して横ずれが生じ、またこの結果、嵌合凹部１１と嵌合凸部１０との嵌合が外れ、隣接するサンドイッチパネル２、２の接続が外れてしまう恐れがあった。
【０００６】
更に、上記のようにしてサンドイッチパネル２、２の施工を行う場合には、建設現場においてサンドイッチパネル２、２を一枚ずつ施工するものであって、複数のサンドイッチパネルを予めユニット化したものを現場で施工することは困難なものでもあった。
【特許文献１】特開平８−１８４１５９号公報
【発明の開示】
【発明が解決しようとする課題】
【０００７】
本発明は上記の点に鑑みてなされたものであり、隣り合うサンドイッチパネル間の凹凸嵌合による接続が負圧や面方向の応力により外れないようにすることができると共に複数枚のサンドイッチパネルを予めユニット化することが可能なサンドイッチパネル用の取付部材、サンドイッチパネルの取付構造、及びユニットパネルを提供することを目的とするものである。
【課題を解決するための手段】
【０００８】
本発明に係る取付部材１は、表面材７と裏面材８の間に芯材９を介装して構成される複数のサンドイッチパネル２を、端部同士を突き合わせて凹凸嵌合させた状態で下地材３に取り付けるための取付部材１であって、隣り合うサンドイッチパネル２の突き合わせ部分と下地材３との間に介在した状態で、隣り合う一方のサンドイッチパネル２、他方のサンドイッチパネル２、及び下地材３の表面にそれぞれ接着する接着層４を備えることを特徴とする。
【０００９】
また、本発明に係るサンドイッチパネルの取付構造は、表面材７と裏面材８の間に芯材９を介装して構成されるサンドイッチパネル２を端部同士を突き合わせて凹凸嵌合させた状態で下地材３に取り付けるサンドイッチパネルの取付構造であって、隣り合うサンドイッチパネル２の突き合わせ部分と下地材３との間に取付部材１を介在させると共に、この取付部材１を、隣り合う一方のサンドイッチパネル２と、他方のサンドイッチパネル２と、下地材３の表面とにそれぞれ接着することを特徴とする。
【００１０】
このサンドイッチパネルの取付構造においては、上記取付部材１と、サンドイッチパネル２及び下地材３との接着を、湿式又は乾式の接着剤にて行うことができる。
【００１１】
また、上記取付部材１が、隣り合う一方のサンドイッチパネル２の裏面の平面部分と下地材３の表面との間に配置される平面部５と、隣り合うサンドイッチパネル２同士の突き合わせ部分においてこのサンドイッチパネル２間に介装される介装部６とを具備することも好ましい。
【００１２】
また、本発明に係るユニットパネルは、表面材７と裏面材８の間に芯材９を介装して構成されるサンドイッチパネル２を端部同士を突き合わせて凹凸嵌合させた状態で下地材３に取り付けたユニットパネルであって、隣り合うサンドイッチパネル２の突き合わせ部分と下地材３との間に取付部材１を介在させると共に、この取付部材１を、隣り合う一方のサンドイッチパネル２と、他方のサンドイッチパネル２と、下地材３の表面とにそれぞれ接着して成ることを特徴とする。
【発明の効果】
【００１３】
本発明によれば、テクス等の固着具でサンドイッチパネル２を下地材３に固着することなく、取付部材１の接着力によってサンドイッチパネル２を下地材３の外面側に固定することができ、また、下地材３と隣り合うサンドイッチパネル２とを取付部材１を介して一体化することができる。このため、建物に敷設されたサンドイッチパネル２に、強風等により負圧がかかってサンドイッチパネル２に下地材３から剥離する方向の力が作用しても、サンドイッチパネル２同士の凹凸嵌合が外れるようなことを防止することができ、隣接するサンドイッチパネル２の接続が外れることを防止することができるものであり、また、地震等によりサンドイッチパネル２に面方向の応力がかかってサンドイッチパネル２の嵌合部分にせん断応力がかかった場合には、隣り合うサンドイッチパネル２の一方が他方に対して横ずれすることを防止することができ、これにより凹凸嵌合が外れて隣接するサンドイッチパネル２の接続が外れてしまうことを防止することができるものである。
【００１４】
また、取付部材１に介装部６を設けることにより、取付部材１と各サンドイッチパネル２との間の接合強度が特に高くなり、サンドイッチパネル２の接続が外れることを、より確実に防止することができる。
【００１５】
また、複数のサンドイッチパネル２を建物に敷設されていない状態で下地材３に取り付けてユニット化することができ、かかるユニットパネルを建設現場にて建物に敷設することができるものである。
【発明を実施するための最良の形態】
【００１６】
以下、本発明の最良の実施の形態を説明する。
【００１７】
（実施形態１）
本実施形態を図１に示す。
【００１８】
サンドイッチパネル２は二枚の金属製の表面材７と裏面材８との間にロックウールや発泡性樹脂等の芯材９を介装して挟持することによって形成されている。また、サンドイッチパネル２の一端部に嵌合凸部１０が形成されていると共にサンドイッチパネル２の他端部には嵌合凹部１１が形成されている。このサンドイッチパネル２の他端部では表面材７及び裏面材８の各他端部を一端側に向かって折り返し屈曲することにより、細長い断面略Ｕ字状の折り曲部１２，１３を形成している。図示の例では、表面側の折り曲部１３の突出寸法の方が、裏面側の折り曲部１２の突出寸法よりも長くなるように形成されている。この対向する折り曲部１２，１３の間の空間が嵌合凹部１１として形成されている。また、サンドイッチパネル２の内側には裏面側の折り曲部１２から表面側の折り曲部１３に亘って補強材１７が設けられている。また、嵌合凸部１０の表面側と裏面側には、サンドイッチパネル２の凹凸嵌合時に各折り曲部１２，１３がそれぞれ配置される段部１４，１５が形成されている。
【００１９】
下地材３としては、建物の柱等の躯体（図示省略）の外面に取り付けられる長尺の部材が挙げられる。図示の下地材３は金属材等で形成されるものであり、建物の躯体側に取り付けられる取付片１９とサンドイッチパネル２が取り付けられる支持片１８との一端縁同士を接続片２０にて接続した断面略コ字状を有している。支持片１８と取付片１９の各他端縁からは、延出片２１が互いに近づく方向に延出されている。
【００２０】
取付部材１は金属板等で形成され、図９（ａ）に示すように、平板状の平面部５と、この平面部５の一方の端縁を表面側に向けてＵ字状に折り返した形状の介装部６とで構成されている。取付部材１の表裏の全面には接着層４が設けられており、このとき平面部５の表裏面と介装部６の表裏面に、共に接着層４が設けられている。前記介装部６と平面部５との間の係合空間２２は、サンドイッチパネル２の裏面側の折り曲部１２と合致する形状を有している。接着層４は湿式又は乾式のエポキシ系、アクリル系等の適宜の接着剤にて形成することができる。接着剤の具体例としては、例えば住友スリーエム株式会社から販売されているスコッチウェルドＥＰＸ接着剤（商品名ＤＰ−１００クリア、ＤＰ−１００Ｐｌｕｓクリア、ＤＰ−１０５クリア、ＤＰ−１１０クリア、ＤＰ−１１０グレー、ＤＰ−ｐｕｒｅ６０、ＤＰ−１２５クリア、ＤＰ−１２５グレー、ＤＰ−１９０グレー、ＤＰ−４２０、ＤＰ−４６０、ＤＰ−４６０ＥＧ、ＤＰ−８００５クリア、ＤＰ−８０１０クリア、メタルグリップ等）、スコッチウェルド一液加熱硬化型接着剤（商品名ＥＷ２０１０、ＥＷ２０２０、ＥＷ２０３０、ＥＷ２０４０、ＥＷ２０５０、ＥＷ２０７０、ＳＷ２２１４、ＸＡ７４１６等）、スコッチウェルドフィルム状接着剤（商品名ＡＦ−３０、ＡＦ−４２、ＡＦ−１２６−２、ＡＦ−１６３−２、ＡＦ−１９１、ＡＦ−３１１３−５等）を挙げることができる。
【００２１】
下地材３は取付片１９を柱等の建物の躯体の外面に対向させ、ビス等の固着具にて前記躯体に敷設される。下地材３は、その長手方向が、隣り合うサンドイッチパネル２間の凹凸嵌合方向と一致するように配置され、且つ複数の下地材３が隣り合うサンドイッチパネル２間の凹凸嵌合方向と直交する方向に並んで設けられる。
【００２２】
このようなサンドイッチパネル２、取付部材１及び下地材３によりサンドイッチパネルの取付構造が構成される。
【００２３】
複数のサンドイッチパネル２は、上記下地材３の外面の支持片１８側に固定して設けられる。このサンドイッチパネル２は、裏面材８の外面を下地材３の支持片１８と対向した状態で配置され、複数のサンドイッチパネル２が下地材３の長手方向に沿って並んで設けられる。
【００２４】
隣り合うサンドイッチパネル２同士は、一端側の端面と他端側の端面とが突き合わされており、一方のサンドイッチパネル２の嵌合凸部１０と他方のサンドイッチパネル２の嵌合凹部１１が凹凸嵌合することにより接続されている。嵌合凸部１０の先端と嵌合凹部１１の底部との間には必要に応じてパッキン材１６が充填される。
【００２５】
このサンドイッチパネル２の突き合わせ部分と各下地材３との間に、取付部材１が配設される。
【００２６】
この取付部材１は、平面部５の裏面側の接着層４が下地材３の支持片１８に密着して接着されている。また、取付部材１の平面部５の表面は一方のサンドイッチパネル２の嵌合凹部１１側の端部において裏面材８の外面に沿って配置されると共にこの取付部材１の係合空間２２にサンドイッチパネル２の裏面側の折り曲部１２が挿入されて係合されている（図２，３参照）。このため、平面部５の表面側及び係合空間２２の内面において、取付部材１が接着層４によって、前記一方のサンドイッチパネル２と接着されている。また、前記介装部６は、凹凸嵌合されたサンドイッチパネル２のうち前記一方のサンドイッチパネル２の嵌合凹部１１の裏面側の折り曲部１２と他方のサンドイッチパネル２の嵌合凸部１０との間に介装される。このため、取付部材１の介装部６の外面は、接着層４を介して前記他方のサンドイッチパネル２の嵌合凸部１０と接着されている。これにより、一つの取付部材１が、接着層４を介して下地材３に接着されていると共に、隣り合うサンドイッチパネル２にもそれぞれ接着されている。
【００２７】
図１０（ａ）は、上下方向に長い複数の下地材３を横方向に並べて敷設し、この下地材３の外面側に複数のサンドイッチパネル２を上下に並べて敷設した例を示す。また図１０（ｂ）は、横方向に長い複数の下地材３を上下方向に並べて敷設し、この下地材３の外面側に複数のサンドイッチパネル２を横方向に並べて敷設した例を示す。このような例において、取付部材１は、各下地材３における、隣り合うサンドイッチパネル２が突き合わされる位置に、それぞれ設けられる。
【００２８】
このようにしてサンドイッチパネル２を敷設すると、テクス等の固着具でサンドイッチパネル２を下地材３に固着することなく、接着によってサンドイッチパネル２を下地材３の外面側に固定することができる。また、一つの取付部材１は接着層４を介して下地材３に接着されていると共に、隣り合うサンドイッチパネル２にもそれぞれ接着されているために、下地材３と隣り合うサンドイッチパネル２とが取付部材１を介して一体化する。このため、強風等により負圧がかかった場合に、サンドイッチパネル２に下地材３から剥離する方向の力が作用しても、サンドイッチパネル２の撓みが非常に大きくなって裏面材８の折り曲部１２が嵌合凸部１０を乗り越えて嵌合凹部１１と嵌合凸部１０との嵌合が外れるようなことを防止することができ、隣接するサンドイッチパネル２、２の接続が外れることを防止することができる。また、地震等によりサンドイッチパネル２に面方向の応力がかかってサンドイッチパネル２の嵌合部分にせん断応力がかかっても、隣り合うサンドイッチパネル２、２の一方が他方に対して横ずれすることを防止することができ、これにより嵌合凹部１１と嵌合凸部１０との嵌合が外れて隣接するサンドイッチパネル２、２の接続が外れてしまうことを防止することができる。
【００２９】
特に本実施形態では、介装部６を一方のサンドイッチパネル２に係合すると共にこの介装部６を隣り合うサンドイッチパネル２同士の突き合わせ部分においてこのサンドイッチパネル２間に介装させているために、取付部材１と各サンドイッチパネル２との間の接合強度が特に高くなり、サンドイッチパネル２の接続が外れることを、より確実に防止することができる。
【００３０】
（実施形態２）
本実施形態を図４に示す。本実施形態では、実施形態１において、取付部材１としてサンドイッチパネル２の嵌合凸部１０及び嵌合凹部１１と嵌合する形状の介装部６を備えるものを用いている。
【００３１】
図示の取付部材１における介装部６は、平板状の平面部５の一方の端縁を表面側に向けてＵ字状に折り返した形状の裏側片６ａ、裏側片６ａの端縁から平面部５の表面側に向けて延出された上片６ｂ、この上片６ｂの端縁から下方に向けて延出された表側片６ｃにて、断面コ字状に形成されており、この介装部６はサンドイッチパネル２の嵌合凸部１０及び嵌合凹部１１と合致する形状となっている。また、前記裏側片と平面部５との間の係合空間２２は、サンドイッチパネル２の裏面側の折り曲部１２と合致する形状を有している。この取付部材１の表裏両面にも、全面に亘って接着層４が設けられている。
【００３２】
本実施形態では、実施形態１の場合と同様に、下地材３は取付片１９を柱等の建物の躯体の外面に敷設される。また、複数のサンドイッチパネル２も、実施形態１の場合と同様に上記下地材３の外面側に敷設され、サンドイッチパネル２の突き合わせ部分と各下地材３との間に、取付部材１が配設される。
【００３３】
この取付部材１は、平面部５の裏面側の接着層４が下地材３の支持片１８に密着して接着されている。また、取付部材１の平面部５の表面は一方のサンドイッチパネル２の嵌合凹部１１側の端部において裏面材８の外面に沿って配置されると共にこの取付部材１の係合空間２２にサンドイッチパネル２の裏面側の折り曲部１２が挿入されて係合され、更に介装部６が嵌合凹部１１の内面に嵌合される。このため、取付部材１の平面部５及び介装部６が接着層４によって、前記一方のサンドイッチパネル２と接着されている。
【００３４】
また、前記介装部６は、凹凸嵌合されたサンドイッチパネル２のうち前記一方のサンドイッチパネル２の嵌合凹部１１の内面と他方のサンドイッチパネル２の嵌合凸部１０の外面との間に介装されて、この嵌合凹部１１及び嵌合凸部１０とに嵌合された状態となる。このため、取付部材１の介装部６は、接着層４を介して前記他方のサンドイッチパネル２の嵌合凸部１０と接着されている。
【００３５】
これにより、一つの取付部材１が、接着層４を介して下地材３に接着されていると共に、隣り合うサンドイッチパネル２にもそれぞれ接着されている。
【００３６】
このようにして、実施形態１の場合と同様に、図１０に示すようにサンドイッチパネル２を敷設することができる。
【００３７】
このような取付部材１を設ける場合も、実施形態１の場合と同様に、テクス等の固着具でサンドイッチパネル２を下地材３に固着することなく、接着によってサンドイッチパネル２を下地材３の外面側に固定することができる。また、強風等により負圧がかかった場合や地震等によりサンドイッチパネル２に面方向の応力がかかった場合にも隣接するサンドイッチパネル２、２の接続が外れてしまうことを防止することができる。
【００３８】
特に、本実施形態では介装部６がサンドイッチパネル２の嵌合凹部１１及び嵌合凸部１０に嵌合しているために、取付部材１と各サンドイッチパネル２との間の接合強度が更に高くなり、サンドイッチパネル２の接続が外れることを、更に確実に防止することができる。
【００３９】
（実施形態３）
本実施形態を図５に示す。本実施形態は、サンドイッチパネル２の形状が異なることを除けば、実施形態１と同様の構成を有する。
【００４０】
このサンドイッチパネル２には、実施形態１の場合と同様に一端部に嵌合凸部１０及び段部１４，１５が形成され、他端部に二つの折り曲部１２，１３が形成されると共にこの折り曲部１２，１３の間に嵌合凹部１１が形成されている。このサンドイッチパネル２を構成する表面材７及び裏面材８は、共に同一形状を有し、二つの折り曲部１２，１３の突出寸法は互いに同一寸法となっている。
【００４１】
このように本発明は、細部の構成を変更して適用することが可能である。
【００４２】
（実施形態４）
本実施形態を図６に示す。
【００４３】
本実施形態では、サンドイッチパネル２の一端部に嵌合凸部１０が形成されていると共にサンドイッチパネル２の他端部には嵌合凹部１１が形成されている。このサンドイッチパネル２の他端部では表面材７及び裏面材８の各他端部を一端側に向かって折り返し屈曲することにより、細長い断面略Ｕ字状の折り曲部１２，１３を形成し、この対向する折り曲部１２，１３の間の空間が嵌合凹部１１として形成されている。また、このサンドイッチパネル２の一端部では、嵌合凸部１０と間隔をあけた表面側に、表面材７を折り返し屈曲して形成される覆い部２４が設けられると共に、サンドイッチパネル２の他端部の表面側には、サンドイッチパネル２の凹凸嵌合時に前記覆い部２４が配置される段部２５が形成されている。またサンドイッチパネル２の他端部では嵌合凸部１０の裏面側に、サンドイッチパネル２の凹凸嵌合時にサンドイッチパネル２の一端部における裏面側の折り曲部１２が配置される段部１４が形成されている。
【００４４】
取付部材１は金属板等で形成され、図９（ｂ）に示すように、平板状の平面部５と、この平面部５の一方の端縁からこの端縁側に向けて延出された介装部６とで構成されている。このとき、平面部５の一方の端縁からはこの平面部５の表面側に向けて接続部２３が延出されており、この接続部２３の端縁から介装部６が延出されている。これにより介装部６がサンドイッチパネル２の嵌合凸部１０の裏面側の段部１４と合致する形状に形成されている。取付部材１の平面部５には表裏両面に全面に亘って接着層４が形成されている。また、接続部２３の表面と介装部６の表面にも全面に亘って接着層４が形成されている。接続部２３の裏面には接着層４は設けられておらず、また介装部６の裏面には端縁側の部分にのみ接着層４が設けられている。
【００４５】
下地材３は実施形態１と同様のものを用いることができ、実施形態１と同様にして取付片１９が柱等の建物の躯体の外面に敷設される。
【００４６】
複数のサンドイッチパネル２は、上記下地材３の外面の支持片１８側に固定して設けられる。このサンドイッチパネル２は、裏面材８の外面を下地材３の支持片１８と対向した状態で配置され、複数のサンドイッチパネル２が下地材３の長手方向に沿って並んで設けられる。
【００４７】
隣り合うサンドイッチパネル２同士は、一端側の端面と他端側の端面とが突き合わされており、一方のサンドイッチパネル２の嵌合凸部１０と他方のサンドイッチパネル２の嵌合凹部１１が凹凸嵌合することにより接続されている。嵌合凸部１０の先端と嵌合凹部１１の底部との間には必要に応じてパッキン材１６が充填される。また、このとき一方のサンドイッチパネル２の覆い部２４は他方のサンドイッチパネル２の段部２５に配置されると共に、他方のサンドイッチパネル２の表面側の折り曲部１３は一方のサンドイッチパネル２の覆い部２４と嵌合凸部１０との間に配置され、他方のサンドイッチパネル２の裏面側の折り曲部１２は一方のサンドイッチパネル２の段部１４に配置される。
【００４８】
このサンドイッチパネル２の突き合わせ部分と各下地材３との間に、取付部材１が配設される。
【００４９】
このとき取付部材１は、平面部５の裏面側の接着層４が下地材３の支持片１８に密着して接着されている。また、取付部材１の平面部５の表面は一方のサンドイッチパネル２の嵌合凸部１０側の端部において裏面材８の外面の平面部分に沿って配置されると共にこの取付部材１の介装部６の表面が嵌合凸部１０の裏面側の段部１４に沿って配置される。このため、平面部５の表面側及び介装部６の表面側において、取付部材１が接着層４によって、前記一方のサンドイッチパネル２と接着されている。また、前記介装部６は、凹凸嵌合されたサンドイッチパネル２のうち前記一方のサンドイッチパネル２の嵌合凸部１０と、他方のサンドイッチパネル２の裏面側の折り曲部１２との間に介装されている。このとき、介装部６における裏面側に接着層４を設けた端部が前記嵌合凸部１０と裏面側の折り曲部１２との間に挿入され、介装部６の裏面側における接着層４を設けていない領域がサンドイッチパネル２の裏面側に露出している。このため、取付部材１の介装部６の裏面は、接着層４を介して前記他方のサンドイッチパネル２の嵌合凹部１１における裏面側の折り曲部１２と接着されている。
【００５０】
これにより、一つの取付部材１が下地材３に接着されていると共に、隣り合うサンドイッチパネル２のそれぞれにも接着されている。
【００５１】
このようにして、実施形態１の場合と同様に、図１０に示すようにサンドイッチパネル２を敷設することができる。
【００５２】
このような取付部材１を設ける場合も、テクス等の固着具でサンドイッチパネル２を下地材３に固着することなく、取付部材１の接着力によってサンドイッチパネル２を下地材３の外面側に固定することができる。また、強風等により負圧がかかった場合や地震等によりサンドイッチパネル２に面方向の応力がかかった場合にも隣接するサンドイッチパネル２、２の接続が外れてしまうことを防止することができる。
【００５３】
特に本実施形態では、介装部６をサンドイッチパネル２の凹凸嵌合部分の間に介装させているために、取付部材１と各サンドイッチパネル２との間の接合強度が特に高くなり、サンドイッチパネル２の接続が外れることを、より確実に防止することができる。
【００５４】
（実施形態５）
本実施形態を図７，９に示す。図示の実施形態は、それぞれ実施形態１，４において、取付部材１として図９（ｃ）に示すような平板状のものを用いている。この取付部材１の表裏の全面には接着層４が設けられている。
【００５５】
本実施形態では、実施形態１，４の場合と同様に、下地材３は取付片１９を柱等の建物の躯体の外面に敷設される。また、複数のサンドイッチパネル２も、実施形態１の場合と同様に上記下地材３の外面側に敷設され、サンドイッチパネル２の突き合わせ部分と各下地材３との間に、取付部材１が配設される。
【００５６】
このとき取付部材１は、裏面側の接着層４が下地材３の支持片１８に密着して接着されている。また、取付部材１の表面側の接着層４は、一方のサンドイッチパネル２の裏面材８の外面から、他方のサンドイッチパネル２の裏面材８の外面に亘って配置され、この接着層４にて、取付部材１が隣り合う一方のサンドイッチパネル２と他方のサンドイッチパネル２とに接着されている。
【００５７】
このようにして、実施形態１の場合と同様に、図１０に示すようにサンドイッチパネル２を敷設することができる。
【００５８】
このような取付部材１を設ける場合も、テクス等の固着具でサンドイッチパネル２を下地材３に固着することなく、接着によってサンドイッチパネル２を下地材３の外面側に固定することができる。また、強風等により負圧がかかった場合や地震等によりサンドイッチパネル２に面方向の応力がかかった場合にも隣接するサンドイッチパネル２、２の接続が外れてしまうことを防止することができる。
【００５９】
（実施形態６）
本実施形態は、ユニットパネルに関するものである。上記各実施形態に示すようなサンドイッチパネルの取付構造を利用して複数のサンドイッチパネル２を連結したユニットパネルを構成することができる。
【００６０】
図１１に示す例では、一対の長尺な支持材２６の間に、複数（図示では三本）の下地材３を平行並列に架設している。この支持材２６にて支持された下地材３に、上記各実施形態に示すように複数のサンドイッチパネル２を取付部材１を用いて取り付けることで、ユニットパネルを構成することができる。
【００６１】
このようなユニットパネルの下地材３を建設現場において建物の躯体の外面に敷設することで、建物の壁を形成することができる。
【図面の簡単な説明】
【００６２】
【図１】（ａ）は本発明の実施形態１を示す側面視の断面図、（ｂ）は（ａ）における下地材の平面視の断面図である。
【図２】同上の一部の分解断面図である。
【図３】同上の一部の斜視図である。
【図４】（ａ）は本発明の実施形態２を示す側面視の断面図、（ｂ）は（ａ）における下地材の平面視の断面図である。
【図５】本発明の実施形態３を示す側面視の断面図である。
【図６】本発明の実施形態４を示す側面視の断面図である。
【図７】本発明の実施形態５の一例を示す側面視の断面図である。
【図８】本発明の実施形態５の他例を示す側面視の断面図である。
【図９】（ａ）乃至（ｃ）は本発明に係る取付部材の構成の例を示す斜視図である。
【図１０】（ａ）及び（ｂ）は本発明に係るサンドイッチパネルの取付構造の全体構成の例を示す正面図である。
【図１１】本発明の実施形態６を示す正面図である。
【図１２】従来技術及びその問題点を示す断面図である。
【符号の説明】
【００６３】
１  取付部材
２  サンドイッチパネル
３  下地材
４  接着層
５  平面部
６  介装部
７  表面材
８  裏面材
９  芯材
【図１】
2007284948.tif 000003
【図２】
2007284948.tif 000004
【図３】
2007284948.tif 000005
【図４】
2007284948.tif 000006
【図５】
2007284948.tif 000007
【図６】
2007284948.tif 000008
【図７】
2007284948.tif 000009
【図８】
2007284948.tif 000010
【図９】
2007284948.tif 000011
【図１０】
2007284948.tif 000012
【図１１】
2007284948.tif 000013
【図１２】
2007284948.tif 000014